(57)【要約】【課題】視聴シーンに合わせて放送を切り替える情報処理装置等を提供する。【解決手段】情報処理装置は、抽出部と、算出部と、記憶部と、照合部と、取得部と、設定部とを有する。抽出部は、リアルタイムな投稿情報に基づいて投稿キーワードを抽出するとともに、番組情報および字幕情報のうち１つ以上の情報に基づいて番組キーワードを抽出する。算出部は、投稿キーワードの出現頻度に基づいて注目度を算出し、予め定めた基礎点と算出された注目度とに基づいて重要度を算出する。記憶部は、基礎点、注目度および重要度を、各投稿キーワードに対応付けて重要度データベースとして記憶する。照合部は、番組キーワードと投稿キーワードとを照合する。取得部は、照合の結果、合致率が所定値以上である合致キーワードについて、重要度データベースから重要度を取得する。設定部は、取得した重要度に基づいて放送を切り替える閾値を設定する。【選択図】図１
2015082827.tif 000002
【特許請求の範囲】
【請求項１】
ネットワークから取得したリアルタイムな投稿情報に基づいて投稿キーワードを抽出するとともに、放送から取得した番組情報および字幕情報のうち１つ以上の情報に基づいて番組キーワードを抽出する抽出部と、
前記投稿キーワードの出現頻度に基づいて注目度を算出し、前記投稿キーワードごとに予め定めた基礎点と、算出された注目度とに基づいて、前記投稿キーワードごとに重要度を算出する算出部と、
前記投稿キーワードの前記基礎点、前記注目度および前記重要度を、前記各投稿キーワードに対応付けて重要度データベースとして記憶する記憶部と、
前記番組キーワードと前記投稿キーワードとを照合する照合部と、
前記照合の結果、合致率が所定値以上である合致キーワードについて、前記重要度データベースから前記重要度を取得する取得部と、
前記合致キーワードの前記重要度に基づいて、受信する前記放送を切り替える閾値を設定する設定部と、
を有することを特徴とする情報処理装置。
【請求項２】
前記設定部は、前記受信する前記放送として、地上デジタルテレビ放送のワンセグ放送と、前記地上デジタルテレビ放送のフルセグ放送とを切り替える閾値を設定することを特徴とする請求項１に記載の情報処理装置。
【請求項３】
前記設定部は、前記ワンセグ放送と前記フルセグ放送とがサイマル放送であり、前記ワンセグ放送と前記フルセグ放送とを切り替える閾値を設定することを特徴とする請求項２に記載の情報処理装置。
【請求項４】
前記設定部は、前記閾値として、前記重要度が所定値以上の場合に、前記ワンセグ放送が優先されるように前記閾値を設定し、前記重要度が前記所定値未満の場合に、前記フルセグ放送が優先されるように前記閾値を設定することを特徴とする請求項２または３に記載の情報処理装置。
【請求項５】
前記記憶部は、前記重要度データベースに記憶する前記投稿キーワードとして、予め定められたキーワードを記憶し、
前記照合部は、前記投稿キーワードとして、前記予め定められたキーワードに含まれる前記投稿キーワードを用いて、前記番組キーワードと前記投稿キーワードとを照合することを特徴とする請求項１〜４のいずれか１項に記載の情報処理装置。
【請求項６】
前記算出部は、前記投稿キーワードの前記注目度として、急上昇する前記注目度がある場合に、ただちに前記投稿キーワードの前記重要度を算出し、
前記照合部は、前記投稿キーワードとして、ただちに前記重要度が算出された前記投稿キーワードを用いて、前記番組キーワードと前記投稿キーワードとを照合し、
前記取得部は、前記投稿キーワードが前記合致キーワードである場合に、ただちに算出された前記重要度を取得し、
前記設定部は、前記合致キーワードの前記重要度として、ただちに算出された前記重要度に基づいて、前記閾値を設定することを特徴とする請求項１〜５のいずれか１項に記載の情報処理装置。
【請求項７】
端末装置が、
ネットワークから取得したリアルタイムな投稿情報に基づいて投稿キーワードを抽出するとともに、放送から取得した番組情報および字幕情報のうち１つ以上の情報に基づいて番組キーワードを抽出し、
前記投稿キーワードの出現頻度に基づいて注目度を算出し、前記投稿キーワードごとに予め定めた基礎点と、算出された注目度とに基づいて、前記投稿キーワードごとに重要度を算出し、
前記投稿キーワードの前記基礎点、前記注目度および前記重要度を、前記各投稿キーワードに対応付けて重要度データベースとして記憶部に記憶し、
前記番組キーワードと、前記投稿キーワードとを照合し、
前記照合の結果、合致率が所定値以上である合致キーワードについて、前記重要度データベースから前記重要度を取得し、
前記合致キーワードの前記重要度に基づいて、受信する前記放送を切り替える閾値を設定する、
処理を実行することを特徴とする情報処理方法。
【請求項８】
端末装置に、
ネットワークから取得したリアルタイムな投稿情報に基づいて投稿キーワードを抽出するとともに、放送から取得した番組情報および字幕情報のうち１つ以上の情報に基づいて番組キーワードを抽出し、
前記投稿キーワードの出現頻度に基づいて注目度を算出し、前記投稿キーワードごとに予め定めた基礎点と、算出された注目度とに基づいて、前記投稿キーワードごとに重要度を算出し、
前記投稿キーワードの前記基礎点、前記注目度および前記重要度を、前記各投稿キーワードに対応付けて重要度データベースとして記憶部に記憶し、
前記番組キーワードと、前記投稿キーワードとを照合し、
前記照合の結果、合致率が所定値以上である合致キーワードについて、前記重要度データベースから前記重要度を取得し、
前記合致キーワードの前記重要度に基づいて、受信する前記放送を切り替える閾値を設定する、
処理を実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
携帯端末装置では、複数の放送波を受信可能なチューナを備えたものがある。当該携帯端末装置は、例えば、ＩＳＤＢ−Ｔ（Integrated  Services  Digital  Broadcasting  -  Terrestrial）方式の地上デジタルテレビ放送を受信する。当該携帯端末装置は、例えば、地上デジタルテレビ放送のうち主に固定端末向け放送であり、１２セグメントを使用したハイビジョン放送（以下、フルセグ放送という）を受信する。また、当該携帯端末装置は、例えば、地上デジタルテレビ放送のうち主に移動体端末向け放送である１セグメントを使用した「携帯電話・移動体端末向けの１セグメント部分受信サービス」（以下、ワンセグ放送という）を受信する。
【０００３】
地上デジタルテレビ放送では、フルセグ放送とワンセグ放送とで、同一の内容を放送するサイマル放送が行われている場合が多くある。当該携帯端末装置は、例えば、電波強度等の受信品質に応じて、サイマル放送が行われているフルセグ放送とワンセグ放送とを切り替える。
【先行技術文献】
【特許文献】
【０００４】
【特許文献１】特開２００７−２３５２２３号公報
【発明の概要】
【発明が解決しようとする課題】
【０００５】
しかしながら、当該携帯端末装置は、受信品質に基づいてフルセグ放送とワンセグ放送とを切り替えると、ユーザが高画質のフルセグ放送にて視聴を継続したい場合であっても、所定の電波強度を下回るとワンセグ放送に切り替わる。また、当該携帯端末装置は、ユーザが画質は低くても構わないものの映像が途切れることを避けたい場合であっても、所定の電波強度を上回っているとフルセグ放送を受信し、受信品質の一時的な悪化によって映像が途切れる場合がある。また、当該携帯端末装置は、ユーザが放送を注視している場合には、ユーザによる指示等によってフルセグ放送とワンセグ放送の切り替えを判定できるが、ユーザが放送を注視していない場合には、ユーザによる指示等がないため当該切り替えを判定できない。
【０００６】
一つの側面では、本発明は、視聴シーンに合わせて受信する放送を切り替えることができる情報処理装置、情報処理方法および情報処理プログラムを提供することにある。
【課題を解決するための手段】
【０００７】
一つの態様では、情報処理装置は、抽出部と、算出部と、記憶部と、照合部と、取得部と、設定部とを有する。当該情報処理装置の抽出部は、ネットワークから取得したリアルタイムな投稿情報に基づいて投稿キーワードを抽出するとともに、放送から取得した番組情報および字幕情報のうち１つ以上の情報に基づいて番組キーワードを抽出する。当該情報処理装置の算出部は、前記投稿キーワードの出現頻度に基づいて注目度を算出し、前記投稿キーワードごとに予め定めた基礎点と、算出された注目度とに基づいて、前記投稿キーワードごとに重要度を算出する。当該情報処理装置の記憶部は、前記投稿キーワードの前記基礎点、前記注目度および前記重要度を、前記各投稿キーワードに対応付けて重要度データベースとして記憶する。当該情報処理装置の照合部は、前記番組キーワードと前記投稿キーワードとを照合する。当該情報処理装置の取得部は、前記照合の結果、合致率が所定値以上である合致キーワードについて、前記重要度データベースから前記重要度を取得する。当該情報処理装置の設定部は、前記合致キーワードの前記重要度に基づいて、受信する前記放送を切り替える閾値を設定する。
【発明の効果】
【０００８】
視聴シーンに合わせて受信する放送を切り替えることができる。
【図面の簡単な説明】
【０００９】
【図１】図１は、実施例１の端末装置の構成の一例を示すブロック図である。
【図２】図２は、重要度データベースの一例を示す説明図である。
【図３】図３は、更新された重要度データベースの一例を示す説明図である。
【図４】図４は、実施例１の端末装置の処理の一例を示すフローチャートである。
【図５】図５は、更新処理の一例を示すフローチャートである。
【図６】図６は、制御処理の一例を示すフローチャートである。
【図７】図７は、実施例２の情報処理システムの構成の一例を示すブロック図である。
【図８】図８は、情報処理プログラムを実行するコンピュータの一例を示す説明図である。
【発明を実施するための形態】
【００１０】
以下、図面に基づいて、本願の開示する情報処理装置、情報処理方法および情報処理プログラムの実施例を詳細に説明する。なお、本実施例により、開示技術が限定されるものではない。また、以下の実施例は、矛盾しない範囲で適宜組みあわせてもよい。
【実施例１】
【００１１】
図１は、実施例１の端末装置の構成の一例を示すブロック図である。図１に示す端末装置１０は、ＴＶ受信部１１と、復調部１２と、復号部１３と、表示部１４と、スピーカ１５と、カメラ１６と、操作部１７と、通信部１８と、記憶部２０と、制御部３０とを有する。なお、端末装置１０は、例えば、スマートフォン、携帯電話機、ＰＨＳ（Personal  Handy  phone  System）、ＰＤＡ（Personal  Digital  Assistant、または、Personal  Data  Assistance）等を用いることができる。
【００１２】
ＴＶ受信部１１は、例えば、ＩＳＤＢ−Ｔ方式の地上デジタルテレビ放送を受信する。ＴＶ受信部１１には、地上デジタルテレビ放送用の受信アンテナが接続される。ＴＶ受信部１１は、地上デジタルテレビ放送として、フルセグ放送とワンセグ放送とを受信する。ＴＶ受信部１１は、受信信号を復調部１２に出力する。
【００１３】
復調部１２は、ＴＶ受信部１１から受信信号が入力されると、例えば、ＯＦＤＭ（Orthogonal  Frequency  Division  Multiplexing）である受信信号を復調する。復調部１２は、受信信号を復調して復調データを生成する。復調部１２は、復調データを復号部１３に出力する。また、復調部１２は、搬送波と雑音の比率であるＣＮ（Carrier  to  Noise）比を制御部３０に出力する。
【００１４】
復号部１３は、復調部１２から復調データが入力されると、例えば、ブロック符号化と畳み込み符号化による二重の誤り訂正符号化を復号する。復号部１３は、復調データを復号して、例えば、ＭＰＥＧ（Moving  Picture  Experts  Group）−２ＴＳ（Transport  Stream）を生成する。また、復号部１３は、ＭＰＥＧ−２ＴＳから映像データと音声データとを取り出して、映像データを表示部１４に出力し、音声データをスピーカ１５に出力する。さらに、復号部１３は、ＭＰＥＧ−２ＴＳからＰＳＩ（Program  Specific  Information）／ＳＩ（Service  Information）情報および字幕情報を取り出して、制御部３０に出力する。なお、復号部１３は、映像データおよび音声データを制御部３０に出力し、記憶部２０に記憶することもできる。さらに、復号部１３は、ビット誤り率であるＢＥＲ（Bit  Error  RateまたはBit  Error  Ratio）を制御部３０に出力する。
【００１５】
表示部１４は、各種情報を表示するための表示デバイスである。例えば、表示部１４は、液晶ディスプレイ等によって実現される。表示部１４は、復号部１３から映像データが入力されると、映像データを表示する。また、表示部１４は、制御部３０から表示画面を構成する画像データが入力されると、画像データを表示する。なお、表示部１４は、画像データと映像データを重畳表示してもよいし、表示領域を分けて別々に表示するようにしてもよい。
【００１６】
スピーカ１５は、ユーザに対して地上デジタルテレビ放送の音声等を出力する。スピーカ１５は、復号部１３から音声データが入力されると音声を出力する。また、表示部１４は、制御部３０から電話の着信音等の音声データが入力されると、当該音声データの音声を出力する。
【００１７】
カメラ１６は、画像を撮像するモジュールである。カメラ１６は、撮像素子を有する。撮像素子は、ＣＭＯＳ（Complementary  Metal  Oxide  Semiconductor）イメージセンサまたはＣＣＤ（Charge  Coupled  Device）イメージセンサ等を用いることができる。カメラ１６は、撮像素子が受光した光を光電変換しＡ／Ｄ（Analog／Digital）変換を行って画像を生成する。カメラ１６は、撮像した画像を制御部３０に出力する。
【００１８】
操作部１７は、ユーザから各種操作を受け付ける入力デバイスである。例えば、操作部１７は、カーソルキーやテンキー等によって実現される。なお、端末装置１０にタッチパネルが採用されている場合には、表示部１４および操作部１７は一体化される。また、タッチパネルが採用された端末装置１０は、タッチパネルの他に、電源ボタン、音量ボタンおよびホームボタン等のハードウエアキーを有してもよい。
【００１９】
通信部１８は、例えば、携帯電話回線、無線ＬＡＮ（Local  Area  Network）、Ｂｌｕｅｔｏｏｔｈ（登録商標）、および、ＮＦＣ（Near  Field  Communication）等に対応する無線通信モジュールによって実現される。通信部１８は、例えば、無線基地局を介して、インターネットに接続され、各種情報の通信を司る通信インタフェースである。
【００２０】
記憶部２０は、例えば、ＲＡＭ（Random  Access  Memory）、フラッシュメモリ（Flash  Memory）等の半導体メモリ素子、ハードディスクや光ディスク等の記憶装置によって実現される。記憶部２０は、重要度データベース（以下、重要度ＤＢという）２１を有する。また、記憶部２０は、制御部３０での処理に用いる情報を記憶する。
【００２１】
重要度ＤＢ２１は、インターネットのＳＮＳ（Social  Networking  Service）等のリアルタイムな投稿情報から抽出された投稿キーワードを記憶する。重要度ＤＢ２１は、投稿キーワードとして予め定められたキーワードを記憶する。重要度ＤＢ２１は、各投稿キーワードについて、予め定めた基礎点と、投稿キーワードの出現頻度に基づいて算出部３２で算出された注目度と、基礎点と注目度とに基づいて算出部３２で算出された重要度とを対応付けて記憶する。ここで、図２は、重要度データベースの一例を示す説明図である。図２に示すように、重要度ＤＢ２１は、キーワード２２、基礎点２３、注目度２４、重要度２５等の項目を対応付けて管理している。
【００２２】
キーワード２２は、重要度を算出するための基礎となるキーワードである。キーワード２２は、投稿情報から投稿キーワードを抽出するために、予め定められて重要度ＤＢ２１に記憶される。キーワード２２は、例えば、時事やスポーツ等に関する多くの人が注目するようなキーワードとすることができ、例えば、感情表現、有名人の名前、および、固有名詞等を用いることができる。なお、キーワード２２は、投稿情報から抽出された投稿キーワードから新たに追加できるようにしてもよい。この場合、世の中の動きに合わせた新しいキーワードにも対応することができる。基礎点２３は、重要度を算出するための基準値である。基礎点２３は、例えば、感情表現は「＋６」、有名人の名前は「＋３」、固有名詞は「＋２」、および、その他は「＋１」とすることができる。また、基礎点２３は、ユーザによって設定されるようにしてもよく、例えば、「ＡＫＢ」を「−４」とすることができる。ここで、基礎点２３は、例えば、プラス側は視聴の継続性を重視し、マイナス側は高画質での視聴を重視するように設定できる。
【００２３】
注目度２４は、キーワードがインターネット上でどれだけ注目されているかを示す。注目度２４は、所定の時間内における重複または類似と判断されるキーワードの出現数に応じて決定する。注目度２４は、例えば、１分間にあるキーワードが類似するキーワードも含めて１０回出現すると注目度「１」とし、２０回出現すると注目度「２」というように、１０回増加するごとに注目度を１ずつ増加させる。重要度２５は、視聴の継続性か高画質のいずれを優先するかを示す。重要度２５は、例えば、基礎点×注目度で算出できる。重要度２５は、例えば、基礎点がプラス側に大きく注目度が高いキーワードは値が大きくなり、視聴の継続性を重視する。重要度２５は、例えば、基礎点がマイナス側に大きく注目度が高いキーワードは値が小さくなり、高画質での視聴を重視する。
【００２４】
ここで、図３は、更新された重要度データベースの一例を示す説明図である。図３に示すように、注目度２４は、例えば、１０秒ごとに更新される。端末装置１０は、ＳＮＳ等の投稿情報を、例えば、１０秒ごとに見に行き、当該１０秒間の投稿情報から投稿キーワードを抽出する。端末装置１０は、抽出された投稿キーワードの出現数に応じて注目度を算出して、重要度ＤＢ２１を更新する。ここで、投稿キーワードの抽出は、直近１０秒間だけでなく、直近１分間、つまり１０秒ずつ更新される１分間について行ってもよい。
【００２５】
図１の説明に戻って、制御部３０は、例えば、ＣＰＵやＭＰＵ（Micro  Processing  Unit）等によって、内部の記憶装置に記憶されているプログラムがＲＡＭを作業領域として実行されることにより実現される。また、制御部３０は、例えば、ＡＳＩＣ（Application  Specific  Integrated  Circuit）やＦＰＧＡ（Field  Programmable  Gate  Array）等の集積回路により実現されるようにしてもよい。制御部３０は、抽出部３１と、算出部３２と、照合部３３と、取得部３４と、検出部３５と、設定部３６とを有し、以下に説明する情報処理の機能や作用を実現または実行する。なお、制御部３０の内部構成は、図１に示した構成に限られず、後述する情報処理を行う構成であれば他の構成であってもよい。
【００２６】
抽出部３１は、通信部１８を介してインターネット上のＳＮＳ等からリアルタイムな投稿情報を取得して、投稿キーワードを抽出する。抽出部３１は、例えば、１０秒ごとに投稿情報を取得して、取得した投稿情報から文字列を抽出し、抽出した文字列を構文解析することで投稿キーワードを抽出し、１つ以上の投稿キーワードを有する投稿キーワードリストを生成する。抽出部３１は、既に投稿キーワードリストがある場合には、生成された投稿キーワードリストと、既存の投稿キーワードリストとを統合する。また、抽出部３１は、投稿キーワードリストの投稿キーワードに、当該キーワードが抽出された投稿情報の投稿時間を対応付ける。抽出部３１は、生成または統合された投稿キーワードリストを算出部３２および照合部３３に出力する。
【００２７】
また、抽出部３１は、復号部１３からＰＳＩ／ＳＩ情報および字幕情報が入力されると、ＰＳＩ／ＳＩ情報のうちＥＩＴ（Event  Information  Table）から番組情報を取得する。なお、ＥＩＴには、番組の名称、放送日時および放送内容等の情報が含まれる。抽出部３１は、番組情報および字幕情報のうち１つ以上の情報に基づいて番組キーワードを抽出する。なお、番組キーワードの抽出は、例えば、番組の変更時や視聴チャンネルの変更時等に行なうことができる。抽出部３１は、抽出された番組キーワードから１つ以上の番組キーワードを有する番組キーワードリストを生成する。抽出部３１は、生成された番組キーワードリストを照合部３３に出力する。
【００２８】
算出部３２は、抽出部３１から投稿キーワードリストが入力されると、所定の時間内の出現頻度に基づいて、各投稿キーワードについて注目度を算出する。算出部３２は、所定の時間内における重複または類似と判断される投稿キーワードの出現数に応じて注目度を算出する。算出部３２は、例えば、１０秒ごとに投稿キーワードリストが入力され、投稿キーワード「イチロー」が１回出現していると、注目度を「１」とすることができる。また、算出部３２は、算出した注目度と、重要度ＤＢ２１を参照して取得した基礎点とに基づいて重要度を算出する。図２の例では、キーワード「イチロー」は、基礎点が「２」、注目度が「１」であるとすると、重要度は２×１より「２」となる。また、図３の例では、同じ「イチロー」というキーワードであっても、注目度が「６」と図２に比べて上昇しているので、重要度は「１２」となる。算出部３２は、算出された注目度および重要度によって、重要度ＤＢ２１を更新する。
【００２９】
また、算出部３２は、注目度が上昇した投稿キーワードがある場合には、当該投稿キーワードの注目度が所定値を超えたか否かを判定する。算出部３２は、注目度が所定値を超えた投稿キーワードがある場合には、照合部３３に対して、ただちに投稿キーワードと番組キーワードとの照合を行なうように通知する。
【００３０】
照合部３３は、抽出部３１から番組キーワードリストおよび投稿キーワードリストが入力される。照合部３３は、番組キーワードリストと投稿キーワードリストとを照合して、合致率が所定値以上のキーワードを合致キーワードとして取得部３４に出力する。ここで、合致率は、例えば、番組キーワードがプロ野球選手を示す「イチロー」であり、投稿キーワードが「イチロー」である場合は１００％となる。また、合致率は、例えば、番組キーワードがプロ野球選手を示す「イチロー」であり、投稿キーワードが「Ichiro」である場合は９０％とすることができる。他にも、投稿キーワードが、プロ野球選手の「イチロー」の愛称である「イチ」、「Wizard」、「Hit  Machine」等である場合は、８０％〜９０％等と合致率を高くすることができる。これに対し、照合部３３は、投稿キーワードが「鈴木」である場合には、プロ野球選手の「イチロー」を指すとは限らないため、例えば、合致率を３０％とすることができる。照合部３３は、合致率の所定値としては、例えば６０％とすることができ、合致率が６０％以上であれば、当該キーワードを合致キーワードとして取得部３４に出力する。なお、合致率の所定値は任意の値としてもよく、例えば、合致範囲を広げたい場合には、５０％または４０％としてもよく、合致範囲を狭めたい場合には、７０％または８０％としてもよい。また、照合部３３は、算出部３２からただちに照合を行なう通知が入力されると、ただちに番組キーワードリストと投稿キーワードリストとを照合する。
【００３１】
取得部３４は、照合部３３から合致キーワードが入力されると、重要度ＤＢ２１を参照して、合致キーワードについて重要度を取得する。取得部３４は、合致キーワードが複数ある場合には、それぞれ重要度を取得する。取得部３４は、合致キーワードの重要度の合計値を算出し、設定部３６に出力する。なお、取得部３４は、合致キーワードが１つの場合には、重要度の合計値は当該合致キーワードの重要度となる。
【００３２】
検出部３５は、カメラ１６から撮像された画像が入力される。検出部３５は、入力された画像に対して、既存の視線検出技術によってユーザの視線を検出し、視線情報を設定部３６に出力する。
【００３３】
設定部３６は、取得部３４から合致キーワードの重要度の合計値が入力される。設定部３６は、合致キーワードの重要度の合計値が所定値以上であれば、ワンセグ放送が優先となるように、つまり、視聴の継続性を優先するように、フルセグ放送とワンセグ放送との切り替えの閾値を設定する。また、設定部３６は、合致キーワードの重要度の合計値が所定値未満であれば、フルセグ放送が優先となるように、つまり、高画質での視聴を優先するように、フルセグ放送とワンセグ放送との切り替えの閾値を設定する。
【００３４】
ここで、フルセグ放送とワンセグ放送との切り替え、および、その閾値について説明する。当該切り替えの閾値は、例えば、ＣＮ比を用いる場合と、ＢＥＲを用いる場合と、ＣＮ比とＢＥＲの両方を用いる場合とがある。ここでは、ＣＮ比とＢＥＲの両方を用いる場合を例として、切り替えの閾値および放送の切り替えについて説明する。ここで、例えば、ＣＮ比の切り替え条件を条件Ａとし、ＢＥＲの切り替え条件を条件Ｂとする。
【００３５】
設定部３６は、復調部１２から入力されるＣＮ比を、例えば３秒ごとに測定し、過去３回の平均値を算出する。設定部３６は、例えば、条件（Ａ−１）として、ワンセグ放送を視聴中に、ＣＮ比が２５ｄＢを超えたらフルセグ放送に切り替え、条件（Ａ−２）として、フルセグ放送を視聴中にＣＮ比が１５ｄＢ未満となったらワンセグ放送に切り替えるとする。つまり、設定部３６は、条件Ａの切り替えの閾値として、ワンセグ放送からフルセグ放送への切り替えはＣＮ比２５ｄＢ、および、フルセグ放送からワンセグ放送への切り替えはＣＮ比１５ｄＢの２つの閾値を持っている。言い換えると、設定部３６は、一度ＣＮ比が１５ｄＢ未満まで落ちてしまうと、ＣＮ比が１５〜２５ｄＢの範囲では、２５ｄＢを超えない限りワンセグ放送を受信するように閾値を設定する。
【００３６】
設定部３６は、復号部１３から入力されるＢＥＲを、例えば３秒ごとに測定し、過去３回の平均値を算出する。設定部３６は、例えば、条件（Ｂ−１）として、ワンセグ放送を視聴中に、ＢＥＲが５％未満となったらフルセグ放送に切り替え、条件（Ｂ−２）として、フルセグ放送を視聴中にＢＥＲが１５％を超えたらワンセグ放送に切り替えるとする。つまり、設定部３６は、条件Ｂの切り替えの閾値として、ワンセグ放送からフルセグ放送への切り替えはＢＥＲ５％、および、フルセグ放送からワンセグ放送への切り替えはＢＥＲ１５％の２つの閾値を持っている。言い換えると、設定部３６は、一度ＢＥＲが１５％を超えてしまうと、ＢＥＲが５〜１５％の範囲では、５％未満とならない限りワンセグ放送を受信するように閾値を設定する。
【００３７】
設定部３６は、条件Ａと条件Ｂの判定を同じタイミング、例えば３秒ごとに実行し、条件Ａまたは条件Ｂのどちらかが条件を満たす場合には、当該条件の切り替え処理を実行する。なお、設定部３６は、条件Ａと条件Ｂが矛盾する結果となった場合には、ＣＮ比の条件である条件Ａの判定を優先する。
【００３８】
ここで、図２および図３を例に、イチローが出場している試合の中継放送でヒットが打たれ、投稿情報に「ヒット」が含まれる場合を説明する。条件Ａと条件Ｂは、初期値として上述の１５，２５ｄＢと、５，１５％であるとする。また、合致キーワードの重要度の合計値を判定する所定値は、例えば、「１５」であったとする。
【００３９】
まず、ヒットが打たれる前は、投稿情報に「ヒット」というキーワードが含まれないので、図２に示すように、キーワード「ヒット」の注目度は「０」であり、重要度も「０」である。このとき、投稿情報に「イチロー」というキーワードは含まれており注目度は「１」、重要度は「２」である。この状態において、設定部３６は、合致キーワードの重要度の合計値が所定値未満であるので、フルセグ放送が優先となるように条件（Ａ−１）のＣＮ比を、例えば２５ｄＢから２０ｄＢに変更して設定する。これにより、設定部３６は、ＣＮ比が改善する傾向がある場合に、早めにフルセグ放送に切り替えることができる。このため、端末装置１０は、高画質な映像をユーザに提供できる。
【００４０】
次に、ヒットが打たれた後は、投稿情報に「ヒット」というキーワードが含まれるので、図３に示すように、キーワード「ヒット」の注目度は「５」であり、重要度は「５」である。このとき、投稿情報に「イチロー」というキーワードも含まれており注目度は「６」、重要度は「１２」である。つまり、イチローがヒットを打った可能性が高いと考えられる。この状態において、重要度の合計値は、１２＋５＝１７となる。設定部３６は、合致キーワードの重要度の合計値が所定値以上であるので、ワンセグ放送が優先となるように条件（Ａ−２）のＣＮ比を、例えば１５ｄＢ未満から２０ｄＢ未満に変更して設定する。これにより、設定部３６は、ＣＮ比が悪化していく傾向がある場合に、早めにワンセグ放送に切り替えることができる。このため、端末装置１０は、突然ＣＮ比がフルセグ放送の限度以下に落ちてしまった場合に、映像が途切れることを防止できる。つまり、端末装置１０は、野球中継でイチローが出塁したチャンスで映像が途切れることを防止できる。
【００４１】
設定部３６は、ＢＥＲも同様に、図２の例では、条件（Ｂ−１）のＢＥＲを例えば５％から１０％に変更して設定し、図３の例では、条件（Ｂ−２）のＢＥＲを例えば１５％から１０％に変更して設定する。これにより、端末装置１０は、図２の例では高画質な映像をユーザに提供でき、図３の例では突然ＢＥＲがフルセグ放送の限度以上に悪化してしまった場合に、映像が途切れることを防止できる。
【００４２】
また、設定部３６は、検出部３５から視線情報が入力される。設定部３６は、視線情報に基づいてユーザが画面を注視しているか否かを判定する。設定部３６は、ユーザが画面を注視している場合には、ユーザが能動的にフルセグ放送とワンセグ放送とを切り替えるため、切り替えの閾値について設定を行わず、ユーザによる設定を優先させる。すなわち、設定部３６は、ユーザが端末装置１０の画面を注視していない場合に、フルセグ放送とワンセグ放送との切り替えの閾値を、投稿情報に応じて変更して設定するので、次にユーザが画面を注視したときに最適な映像で放送を表示することができる。
【００４３】
次に、実施例１の端末装置１０の動作について説明する。
【００４４】
図４は、実施例１の端末装置の処理の一例を示すフローチャートである。端末装置１０は、ユーザによって、例えば地上デジタルテレビ放送の視聴の開始が指示され、地上デジタルテレビ放送の受信を開始する（ステップＳ１）。端末装置１０は、地上デジタルテレビ放送の受信を開始すると、重要度ＤＢ２１の更新処理を実行する（ステップＳ２）。また、ステップＳ２の更新処理と並行して、放送波の制御処理を実行する（ステップＳ３）。端末装置１０は、例えば地上デジタルテレビ放送の視聴が終了されるか否かを判定する（ステップＳ４）。端末装置１０は、地上デジタルテレビ放送の視聴が終了されない場合には（ステップＳ４：否定）、ステップＳ２およびステップＳ３に戻る。端末装置１０は、地上デジタルテレビ放送の視聴が終了される場合には（ステップＳ４：肯定）、地上デジタルテレビ放送の視聴に関する処理を終了する。
【００４５】
ここで、図５を用いて重要度ＤＢ２１の更新処理について説明する。図５は、更新処理の一例を示すフローチャートである。抽出部３１は、通信部１８を介してインターネット上のＳＮＳ等からリアルタイムな投稿情報、例えば、１０秒ごとに投稿情報を取得する（ステップＳ２１）。抽出部３１は、取得した投稿情報から文字列を抽出し、抽出した文字列を構文解析することで投稿キーワードを抽出する（ステップＳ２２）。抽出部３１は、抽出した１つ以上の投稿キーワードを有する投稿キーワードリストを生成する。抽出部３１は、既に投稿キーワードリストがある場合には、生成された投稿キーワードリストと、既存の投稿キーワードリストとを統合する（ステップＳ２３）。
【００４６】
抽出部３１は、投稿キーワードリストの投稿キーワードに、当該キーワードが抽出された投稿情報の投稿時間を対応付ける。抽出部３１は、生成または統合された投稿キーワードリストを、算出部３２および制御処理を実行する照合部３３に出力する（ステップＳ２４）。
【００４７】
算出部３２は、抽出部３１から投稿キーワードリストが入力されると、所定の時間内における重複または類似と判断される投稿キーワードの出現数に応じて注目度を算出する。また、算出部３２は、算出された注目度と、重要度ＤＢ２１を参照して取得した基礎点とに基づいて重要度を算出する（ステップＳ２５）。算出部３２は、算出された注目度および重要度によって、重要度ＤＢ２１を更新する（ステップＳ２６）。
【００４８】
また、算出部３２は、注目度が上昇した投稿キーワードがあるか否かを判定する（ステップＳ２７）。算出部３２は、注目度が上昇した投稿キーワードがない場合には（ステップＳ２７：否定）、更新処理を終了する。算出部３２は、注目度が上昇した投稿キーワードがある場合には（ステップＳ２７：肯定）、当該投稿キーワードの注目度が所定値を超えたか否かを判定する（ステップＳ２８）。算出部３２は、当該投稿キーワードの注目度が所定値を超えていない場合には（ステップＳ２８：否定）、更新処理を終了する。算出部３２は、当該投稿キーワードの注目度が所定値を超えている場合には（ステップＳ２８：肯定）、制御処理を実行する照合部３３に対して、ただちに投稿キーワードと番組キーワードとの照合を行なうように通知し（ステップＳ２９）更新処理を終了する。
【００４９】
このように、更新処理によれば、インターネット上のＳＮＳ等の投稿情報に基づいて、重要度ＤＢ２１を更新することができる。
【００５０】
次に、図６を用いて放送波の制御処理について説明する。図６は、制御処理の一例を示すフローチャートである。抽出部３１は、復号部１３からＰＳＩ／ＳＩ情報および字幕情報が入力されると、ＰＳＩ／ＳＩ情報のうちＥＩＴから番組情報を取得する（ステップＳ３１）。抽出部３１は、番組情報および字幕情報のうち１つ以上に基づいて番組キーワードを抽出する（ステップＳ３２）。抽出部３１は、抽出された番組キーワードから１つ以上の番組キーワードを有する番組キーワードリストを生成し、生成された番組キーワードリストを照合部３３に出力する（ステップＳ３３）。
【００５１】
照合部３３は、抽出部３１から番組キーワードリストが入力される。また、照合部３３は、抽出部３１から更新処理のステップＳ２４により出力された投稿キーワードリストが入力され、投稿キーワードリストを取得する（ステップＳ３４）。照合部３３は、番組キーワードリストと投稿キーワードリストとを照合する（ステップＳ３５）。ここで、照合部３３は、更新処理を実行する算出部３２から、ただちに投稿キーワードと番組キーワードとの照合を行なう通知を受け取ると、所定の時間で定期的に行っていた照合とは別に、ただちに番組キーワードリストと投稿キーワードリストとを照合する。照合部３３は、照合の結果、合致率が所定値以上のキーワードがあるか否かを判定する（ステップＳ３６）。照合部３３は、合致率が所定値以上のキーワードがない場合には（ステップＳ３６：否定）、制御処理を終了する。照合部３３は、合致率が所定値以上のキーワードがある場合には（ステップＳ３６：肯定）、当該キーワードを合致キーワードとして取得部３４に出力する。
【００５２】
取得部３４は、照合部３３から合致キーワードが入力されると、重要度ＤＢ２１を参照して、合致キーワードについて重要度を取得する（ステップＳ３７）。取得部３４は、合致キーワードの重要度の合計値を算出し、設定部３６に出力する（ステップＳ３８）。設定部３６は、取得部３４から合致キーワードの重要度の合計値が入力される。設定部３６は、合致キーワードの重要度の合計値が所定値以上であるか否かを判定する（ステップＳ３９）。設定部３６は、合致キーワードの重要度の合計値が所定値以上である場合には（ステップＳ３９：肯定）、ワンセグ放送が優先となるように、フルセグ放送とワンセグ放送との切り替えの閾値を設定し（ステップＳ４０）、制御処理を終了する。設定部３６は、例えば、フルセグ放送を視聴中にＣＮ比が１５ｄＢ未満となったらワンセグ放送に切り替える設定の閾値を、１５ｄＢから２０ｄＢに変更して設定する。
【００５３】
設定部３６は、合致キーワードの重要度の合計値が所定値未満である場合には（ステップＳ３９：否定）、フルセグ放送が優先となるように、フルセグ放送とワンセグ放送との切り替えの閾値を設定し（ステップＳ４１）、制御処理を終了する。設定部３６は、例えば、ワンセグ放送を視聴中にＣＮ比が２５ｄＢを超えるとフルセグ放送に切り替える設定の閾値を、２５ｄＢから２０ｄＢに変更して設定する。
【００５４】
このように、制御処理では、投稿キーワードと番組キーワードとを照合し、合致率が所定値以上の合致キーワードについて重要度を取得し、重要度の合計値に応じて、フルセグ放送とワンセグ放送の切り替えの閾値を変更して設定できる。
【００５５】
このように、情報処理装置である端末装置１０は、ネットワークから取得したリアルタイムな投稿情報に基づいて投稿キーワードを抽出するとともに、放送から取得した番組情報および字幕情報のうち１つ以上の情報に基づいて番組キーワードを抽出する。また、端末装置１０は、投稿キーワードの出現頻度に基づいて注目度を算出し、投稿キーワードごとに予め定めた基礎点と、算出された注目度とに基づいて、投稿キーワードごとに重要度を算出する。また、端末装置１０は、投稿キーワードの基礎点、注目度および重要度を、各投稿キーワードに対応付けて重要度データベース２１として記憶部２０に記憶する。また、端末装置１０は、番組キーワードと、投稿キーワードとを照合し、照合の結果、合致率が所定値以上である合致キーワードについて、重要度データベース２１から重要度を取得する。また、端末装置１０は、合致キーワードの重要度に基づいて、受信する放送を切り替える閾値を設定する。その結果、視聴シーンに合わせて受信する放送を切り替えることができる。
【００５６】
また、端末装置１０は、受信する放送として、地上デジタルテレビ放送のワンセグ放送と、地上デジタルテレビ放送のフルセグ放送とを切り替える閾値を設定する。その結果、フルセグ放送とワンセグ放送とを視聴シーンに合わせて切り替えることができる。
【００５７】
また、端末装置１０は、ワンセグ放送とフルセグ放送とがサイマル放送であり、ワンセグ放送とフルセグ放送とを切り替える閾値を設定する。その結果、同一の内容を放送するフルセグ放送とワンセグ放送とを視聴シーンに合わせて切り替えることができる。
【００５８】
また、端末装置１０は、閾値として、重要度が所定値以上の場合に、ワンセグ放送が優先されるように閾値を設定し、重要度が所定値未満の場合に、フルセグ放送が優先されるように閾値を設定する。その結果、視聴の継続性が必要な場合には、早めにワンセグ放送に切り替えることができ、画質を重視したい場合には、可能な限りフルセグ放送で受信することができる。
【００５９】
また、端末装置１０は、重要度データベース２１に記憶する投稿キーワードとして、予め定められたキーワードを記憶部２０に記憶する。また、端末装置１０は、投稿キーワードとして、予め定められたキーワードに含まれる投稿キーワードを用いて、番組キーワードと投稿キーワードとを照合する。その結果、キーワードの照合処理を軽減することができる。
【００６０】
また、端末装置１０は、投稿キーワードの注目度として、急上昇する注目度がある場合に、ただちに投稿キーワードの重要度を算出する。また、端末装置１０は、投稿キーワードとして、ただちに重要度が算出された投稿キーワードを用いて、番組キーワードと投稿キーワードとを照合し、投稿キーワードが合致キーワードである場合に、ただちに算出された重要度を取得する。また、端末装置１０は、合致キーワードの重要度として、ただちに算出された重要度に基づいて、閾値を設定する。その結果、インターネット上で急に投稿数が上昇したキーワードに基づいて、視聴シーンに合わせて切り替えることができる。
【００６１】
なお、上記実施例１では、固定端末向け放送であるフルセグ放送と、移動体端末向け放送であるワンセグ放送とを切り替えたが、これに限定されない。端末装置１０は、例えば、放送波とビデオオンデマンド等のインターネット上の配信サービスとでサイマル放送が行われている場合に、放送波と配信サービスとを切り替えるようにしてもよい。これにより、例えば、フルセグ放送は受信が難しいが、ワンセグ放送と、携帯電話回線または公衆無線ＬＡＮとが受信可能な場合に、ワンセグ放送と配信サービスとの間で、視聴シーンに合わせて切り替えることができる。
【００６２】
なお、上記実施例１では、番組情報および字幕情報を放送波から取得したが、これに限定されない。端末装置１０は、例えば、番組情報をインターネット上において番組情報を提供しているＷｅｂサイトから取得するようにしてもよい。
【００６３】
なお、上記実施例１では、重要度が所定値以上の場合にワンセグ放送を優先としたが、これに限定されない。端末装置１０は、例えば、重要度が所定値以上の場合にフルセグ放送を優先とし、重要度が所定値未満の場合にワンセグ放送を優先として、フルセグ放送とワンセグ放送との切り替えの閾値を変更するように設定してもよい。
【００６４】
また、上記実施例１では、端末装置１０で投稿キーワードの抽出と重要度の算出とを行ったが、サーバ装置で投稿キーワードの抽出と重要度の算出とを行って重要度データベースを構築しても良く、この場合の実施の形態につき、実施例２として以下に説明する。
【実施例２】
【００６５】
図７は、実施例２の情報処理システムの構成の一例を示すブロック図である。なお、実施例１の端末装置１０と同一の構成には同一符号を付すことで、その重複する構成および動作の説明については省略する。実施例２の端末装置５０が実施例１の端末装置１０と異なるところは、サーバ装置で投稿キーワードの抽出と重要度の算出とを行って重要度データベースが構築される点にある。実施例２では、実施例１で示した端末装置１０の抽出部３１および算出部３２で実行された更新処理について、サーバ装置で実行され、端末装置５０は、ネットワークＮを介してサーバ装置から投稿キーワードリストを取得する。
【００６６】
実施例２の情報処理システム４０は、端末装置５０とサーバ装置１００とを有し、ネットワークＮを介して接続されている。実施例２の端末装置５０は、制御部３０の代わりに制御部７０を有する。制御部７０は、抽出部３１の代わりに抽出部７１を有し、取得部３４の代わりに取得部７４を有する。また、端末装置５０は、記憶部２０の代わりに、重要度データベースを有しない記憶部６０を有する。また、端末装置５０の通信部１８は、サーバ装置１００から投稿キーワードリストと、ただちに照合を行なう通知とを受信する。また、端末装置５０の照合部３３には、通信部１８で受信した投稿キーワードリストおよびただちに照合を行なう通知が入力される。実施例２の端末装置５０は、これらの点を除き、端末装置１０と同一の構成である。また、実施例２のサーバ装置１００は、実施例１の更新処理を実行する抽出部３１、算出部３２および記憶部２０の重要度ＤＢ２１に相当する。
【００６７】
端末装置５０の記憶部６０は、例えば、ＲＡＭ、フラッシュメモリ等の半導体メモリ素子、ハードディスクや光ディスク等の記憶装置によって実現される。記憶部６０は、制御部７０での処理に用いる情報を記憶する。
【００６８】
抽出部７１は、復号部１３からＰＳＩ／ＳＩ情報および字幕情報が入力されると、ＰＳＩ／ＳＩ情報のうちＥＩＴから番組情報を取得する。なお、ＥＩＴには、番組の名称、放送日時および放送内容等の情報が含まれる。抽出部７１は、番組情報および字幕情報のうち１つ以上に基づいて番組キーワードを抽出する。なお、番組キーワードの抽出は、例えば、番組の変更時や視聴チャンネルの変更時等に行なうことができる。抽出部７１は、抽出された番組キーワードから１つ以上の番組キーワードを有する番組キーワードリストを生成する。抽出部７１は、生成された番組キーワードリストを照合部３３に出力する。
【００６９】
取得部７４は、照合部３３から合致キーワードが入力されると、通信部１８およびネットワークＮを介して、サーバ装置１００の後述する重要度ＤＢ１２１を参照して、合致キーワードについて重要度を取得する。取得部７４は、合致キーワードが複数ある場合には、それぞれ重要度を取得する。取得部７４は、合致キーワードの重要度の合計値を算出し、設定部３６に出力する。なお、取得部７４は、合致キーワードが１つの場合には、重要度の合計値は当該合致キーワードの重要度となる。
【００７０】
サーバ装置１００は、通信部１１０と、記憶部１２０と、制御部１３０とを有する。サーバ装置１００は、インターネット上のＳＮＳ等から投稿情報を取得して、記憶部１２０の重要度ＤＢ１２１を更新する。なお、サーバ装置１００は、サーバ装置１００の管理者等から各種操作を受け付ける入力部（例えば、キーボードやマウス等）や、各種情報を表示するための表示部（例えば、液晶ディスプレイ等）を有してもよい。
【００７１】
通信部１１０は、例えば、ＮＩＣ（Network  Interface  Card）等によって実現される。通信部１１０は、ネットワークＮと有線で接続され、ネットワークＮを介して端末装置５０との間で情報の通信を司る通信インタフェースである。
【００７２】
記憶部１２０は、例えば、ＲＡＭ、フラッシュメモリ等の半導体メモリ素子、ハードディスクや光ディスク等の記憶装置によって実現される。記憶部１２０は、重要度ＤＢ１２１を有する。また、記憶部１２０は、制御部１３０での処理に用いる情報を記憶する。
【００７３】
重要度ＤＢ１２１は、実施例１の重要度ＤＢ２１と同様に、インターネットのＳＮＳ等のリアルタイムな投稿情報から抽出する投稿キーワードを記憶する。重要度ＤＢ１２１は、投稿キーワードとして予め定められたキーワードを記憶する。重要度ＤＢ１２１は、各投稿キーワードについて、予め定めた基礎点と、投稿キーワードの出現頻度に基づいて後述する算出部１３２で算出された注目度と、基礎点と注目度とに基づいて算出部１３２で算出された重要度とを対応付けて記憶する。
【００７４】
制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしても良い。制御部１３０は、抽出部１３１と、算出部１３２と、通知部１３３とを有し、以下に説明する情報処理の機能や作用を実現または実行する。なお、制御部１３０の内部構成は、図７に示した構成に限られず、後述する情報処理を行う構成であれば他の構成であってもよい。
【００７５】
抽出部１３１は、通信部１１０を介してインターネット上のＳＮＳ等からリアルタイムな投稿情報を取得して、投稿キーワードを抽出する。抽出部１３１は、例えば、１０秒ごとに投稿情報を取得して、取得した投稿情報から文字列を抽出し、抽出した文字列を構文解析することで投稿キーワードを抽出し、１つ以上の投稿キーワードを有する投稿キーワードリストを生成する。抽出部１３１は、既に投稿キーワードリストがある場合には、生成された投稿キーワードリストと、既存の投稿キーワードリストとを統合する。また、抽出部１３１は、投稿キーワードリストの投稿キーワードに、当該キーワードが抽出された投稿情報の投稿時間を対応付ける。抽出部１３１は、生成または統合された投稿キーワードリストを算出部１３２および通知部１３３に出力する。
【００７６】
算出部１３２は、抽出部１３１から投稿キーワードリストが入力されると、所定の時間内の出現頻度に基づいて、各投稿キーワードについて注目度を算出する。算出部１３２は、所定の時間内における重複または類似と判断される投稿キーワードの出現数に応じて注目度を算出する。算出部１３２は、例えば、１０秒ごとに投稿キーワードリストが入力され、投稿キーワード「イチロー」が１回出現していると、注目度を「１」とすることができる。また、算出部１３２は、算出した注目度と、重要度ＤＢ１２１を参照して取得した基礎点とに基づいて重要度を算出する。算出部１３２は、算出された注目度および重要度によって、重要度ＤＢ１２１を更新する。
【００７７】
また、算出部１３２は、注目度が上昇した投稿キーワードがある場合には、当該投稿キーワードの注目度が所定値を超えたか否かを判定する。算出部１３２は、注目度が所定値を超えた投稿キーワードがある場合には、ただちに投稿キーワードと番組キーワードとの照合を行なう通知を通知部１３３に出力する。
【００７８】
通知部１３３は、抽出部１３１から投稿キーワードリストが入力される。通知部１３３は、投稿キーワードリストを、通信部１１０を介して端末装置５０に送信する。また、通知部１３３は、算出部１３２から、ただちに照合を行なう通知が入力されると、当該通知を、通信部１１０を介して端末装置５０に送信する。
【００７９】
次に、実施例２の情報処理システム４０の動作について説明する。情報処理システム４０の動作は、実施例１の重要度ＤＢ２１の更新処理をサーバ装置１００で実行し、放送波の制御処理を端末装置５０で実行するものである。
【００８０】
サーバ装置１００は、重要度ＤＢ１２１の更新処理を実行する。ここで、更新処理は、実施例１の更新処理と次の点を除き同一であるのでその説明は省略する。サーバ装置１００は、実施例１のステップＳ２４での投稿キーワードリストの出力先である照合部３３の代わりに、投稿キーワードリストを、通信部１１０を介して端末装置５０に送信する。また、サーバ装置１００は、実施例１のステップＳ２９でのただちに照合を行なう通知の出力先である照合部３３の代わりに、ただちに照合を行なう通知を、通信部１１０を介して端末装置５０に送信する。このように、更新処理によれば、インターネット上のＳＮＳ等の投稿情報に基づいて、重要度ＤＢ１２１を更新することができる。
【００８１】
端末装置５０は、放送波の制御処理を実行する。ここで、制御処理は、実施例１の更新処理と次の点を除き同一であるのでその説明は省略する。端末装置５０は、実施例１のステップＳ３４における照合部３３での投稿キーワードリストの取得について、抽出部３１から入力される代わりに、通信部１８およびネットワークＮを介してサーバ装置１００から受信した投稿キーワードリストを取得する。また、端末装置５０は、実施例１のステップＳ３５で、照合部３３が算出部３２から、ただちに照合を行なう通知を受け取る代わりに、通信部１８およびネットワークＮを介してサーバ装置１００から受信したただちに照合を行なう通知を受け取る。このように、制御処理では、サーバ装置１００から取得した投稿キーワードと番組キーワードとを照合し、合致率が所定値以上の合致キーワードについて重要度を取得し重要度の合計値に応じて、フルセグ放送とワンセグ放送の切り替えの閾値を変更して設定できる。
【００８２】
このように、情報処理システム４０は、端末装置５０とサーバ装置１００とを有し、サーバ装置１００は、ネットワークＮから取得したリアルタイムな投稿情報に基づいて投稿キーワードを抽出する。また、サーバ装置１００は、投稿キーワードの出現頻度に基づいて注目度を算出し、投稿キーワードごとに予め定めた基礎点と、算出された注目度とに基づいて、投稿キーワードごとに重要度を算出する。また、サーバ装置１００は、投稿キーワードの基礎点、注目度および重要度を、各投稿キーワードに対応付けて重要度データベース１２１として記憶部１２０に記憶する。また、端末装置５０は、放送から取得した番組情報および字幕情報のうち１つ以上の情報に基づいて番組キーワードを抽出する。また、端末装置５０は、番組キーワードと、投稿キーワードとを照合し、照合の結果、合致率が所定値以上である合致キーワードについて、サーバ装置１００の重要度データベース１２１から重要度を取得する。また、端末装置５０は、合致キーワードの重要度に基づいて、受信する放送を切り替える閾値を設定する。その結果、サーバ装置１００から投稿キーワードリストを取得して、視聴シーンに合わせて受信する放送を切り替えることができる。
【００８３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。例えば、実施例１の抽出部３１は、投稿キーワードと番組キーワードとを抽出したが、投稿キーワードと番組キーワードとをそれぞれ抽出するように分離して構成してもよい。
【００８４】
さらに、各装置で行われる各種処理機能は、ＣＰＵ（またはＭＰＵ、ＭＣＵ（Micro  Controller  Unit）等のマイクロ・コンピュータ）上で、その全部又は任意の一部を実行するようにしても良い。また、各種処理機能は、ＣＰＵ（またはＭＰＵ、ＭＣＵ等のマイクロ・コンピュータ）で解析実行されるプログラム上、またはワイヤードロジックによるハードウエア上で、その全部または任意の一部を実行するようにしても良いことは言うまでもない。
【００８５】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図８は、情報処理プログラムを実行するコンピュータの一例を示す説明図である。
【００８６】
図８が示すように、コンピュータ２００は、各種演算処理を実行するＣＰＵ２０１と、ユーザからのデータ入力を受け付ける入力装置２０２と、モニタ２０３と、地上デジタルテレビ放送等の音声を出力するスピーカ２０４とを有する。また、コンピュータ２００は、地上デジタルテレビ放送等を受信するＴＶ（Television）チューナ２０５と、記憶媒体からプログラム等を読み取り、データ等を記憶媒体に書き込む媒体アクセス装置２０６とを有する。また、コンピュータ２００は、他の装置と接続するためのインタフェース装置２０７と、他の装置と無線により接続するための無線通信装置２０８とを有する。また、コンピュータ２００は、各種情報を一時記憶するＲＡＭ２０９と、フラッシュメモリ２１０と、画像を撮像するカメラ２１１とを有する。また、各装置２０１〜２１１は、バス２１２に接続される。
【００８７】
フラッシュメモリ２１０には、図１に示した抽出部３１、算出部３２、照合部３３、取得部３４および設定部３６の各処理部と同様の機能を有する情報処理プログラムが記憶される。また、フラッシュメモリ２１０には、重要度ＤＢ２１および情報処理プログラムを実現するための各種データが記憶される。スピーカ２０４およびカメラ２１１は、図１に示したスピーカ１５およびカメラ１６と同様の機能を有する。また、ＴＶチューナ２０５は、図１に示したＴＶ受信部１１、復調部１２および復号部１３と同様の機能を有する。また、媒体アクセス装置２０６は、ＴＶチューナ２０５で受信した放送の映像データを、外部メモリ２１３に記憶する。
【００８８】
ＣＰＵ２０１はフラッシュメモリ２１０に記憶された各プログラムを読み出して、ＲＡＭ２０９に展開して実行することで、各種の処理を行う。また、これらのプログラムは、コンピュータ２００を図１に示した抽出部３１、算出部３２、照合部３３、取得部３４および設定部３６として機能させることができる。
【００８９】
なお、上記の情報処理プログラムは、必ずしもフラッシュメモリ２１０に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ（Local  Area  Network）等に接続された装置にこの情報処理プログラムを記憶させておき、コンピュータ２００がこれらから情報処理プログラムを読み出して実行するようにしてもよい。
【００９０】
以上、本実施例を含む実施の形態に関し、更に以下の付記を開示する。
【００９１】
（付記１）ネットワークから取得したリアルタイムな投稿情報に基づいて投稿キーワードを抽出するとともに、放送から取得した番組情報および字幕情報のうち１つ以上の情報に基づいて番組キーワードを抽出する抽出部と、
前記投稿キーワードの出現頻度に基づいて注目度を算出し、前記投稿キーワードごとに予め定めた基礎点と、算出された注目度とに基づいて、前記投稿キーワードごとに重要度を算出する算出部と、
前記投稿キーワードの前記基礎点、前記注目度および前記重要度を、前記各投稿キーワードに対応付けて重要度データベースとして記憶する記憶部と、
前記番組キーワードと前記投稿キーワードとを照合する照合部と、
前記照合の結果、合致率が所定値以上である合致キーワードについて、前記重要度データベースから前記重要度を取得する取得部と、
前記合致キーワードの前記重要度に基づいて、受信する前記放送を切り替える閾値を設定する設定部と、
を有することを特徴とする情報処理装置。
【００９２】
（付記２）前記設定部は、前記受信する前記放送として、地上デジタルテレビ放送のワンセグ放送と、前記地上デジタルテレビ放送のフルセグ放送とを切り替える閾値を設定することを特徴とする付記１に記載の情報処理装置。
【００９３】
（付記３）前記設定部は、前記ワンセグ放送と前記フルセグ放送とがサイマル放送であり、前記ワンセグ放送と前記フルセグ放送とを切り替える閾値を設定することを特徴とする付記２に記載の情報処理装置。
【００９４】
（付記４）前記設定部は、前記閾値として、前記重要度が所定値以上の場合に、前記ワンセグ放送が優先されるように前記閾値を設定し、前記重要度が前記所定値未満の場合に、前記フルセグ放送が優先されるように前記閾値を設定することを特徴とする付記２または３に記載の情報処理装置。
【００９５】
（付記５）前記記憶部は、前記重要度データベースに記憶する前記投稿キーワードとして、予め定められたキーワードを記憶し、
前記照合部は、前記投稿キーワードとして、前記予め定められたキーワードに含まれる前記投稿キーワードを用いて、前記番組キーワードと前記投稿キーワードとを照合することを特徴とする付記１〜４のいずれか１つに記載の情報処理装置。
【００９６】
（付記６）前記算出部は、前記投稿キーワードの前記注目度として、急上昇する前記注目度がある場合に、ただちに前記投稿キーワードの前記重要度を算出し、
前記照合部は、前記投稿キーワードとして、ただちに前記重要度が算出された前記投稿キーワードを用いて、前記番組キーワードと前記投稿キーワードとを照合し、
前記取得部は、前記投稿キーワードが前記合致キーワードである場合に、ただちに算出された前記重要度を取得し、
前記設定部は、前記合致キーワードの前記重要度として、ただちに算出された前記重要度に基づいて、前記閾値を設定することを特徴とする付記１〜５のいずれか１つに記載の情報処理装置。
【００９７】
（付記７）端末装置が、
ネットワークから取得したリアルタイムな投稿情報に基づいて投稿キーワードを抽出するとともに、放送から取得した番組情報および字幕情報のうち１つ以上の情報に基づいて番組キーワードを抽出し、
前記投稿キーワードの出現頻度に基づいて注目度を算出し、前記投稿キーワードごとに予め定めた基礎点と、算出された注目度とに基づいて、前記投稿キーワードごとに重要度を算出し、
前記投稿キーワードの前記基礎点、前記注目度および前記重要度を、前記各投稿キーワードに対応付けて重要度データベースとして記憶部に記憶し、
前記番組キーワードと、前記投稿キーワードとを照合し、
前記照合の結果、合致率が所定値以上である合致キーワードについて、前記重要度データベースから前記重要度を取得し、
前記合致キーワードの前記重要度に基づいて、受信する前記放送を切り替える閾値を設定する、
処理を実行することを特徴とする情報処理方法。
【００９８】
（付記８）端末装置に、
ネットワークから取得したリアルタイムな投稿情報に基づいて投稿キーワードを抽出するとともに、放送から取得した番組情報および字幕情報のうち１つ以上の情報に基づいて番組キーワードを抽出し、
前記投稿キーワードの出現頻度に基づいて注目度を算出し、前記投稿キーワードごとに予め定めた基礎点と、算出された注目度とに基づいて、前記投稿キーワードごとに重要度を算出し、
前記投稿キーワードの前記基礎点、前記注目度および前記重要度を、前記各投稿キーワードに対応付けて重要度データベースとして記憶部に記憶し、
前記番組キーワードと、前記投稿キーワードとを照合し、
前記照合の結果、合致率が所定値以上である合致キーワードについて、前記重要度データベースから前記重要度を取得し、
前記合致キーワードの前記重要度に基づいて、受信する前記放送を切り替える閾値を設定する、
処理を実行させることを特徴とする情報処理プログラム。
【００９９】
（付記９）情報処理システムは、サーバ装置と、端末装置とを有し、
前記サーバ装置は、
ネットワークから取得したリアルタイムな投稿情報に基づいて投稿キーワードを抽出する投稿抽出部と、
前記投稿キーワードの出現頻度に基づいて注目度を算出し、前記投稿キーワードごとに予め定めた基礎点と、算出された注目度とに基づいて、前記投稿キーワードごとに重要度を算出する算出部と、
前記投稿キーワードの前記基礎点、前記注目度および前記重要度を、前記各投稿キーワードに対応付けて重要度データベースとして記憶する記憶部と、
前記投稿キーワードと前記注目度と前記重要度とを含む投稿キーワードリストを端末装置に通知する通知部と、を有し、
前記端末装置は、
放送から取得した番組情報および字幕情報のうち１つ以上の情報に基づいて番組キーワードを抽出する抽出部と、
前記番組キーワードと、前記投稿キーワードとを照合する照合部と、
前記照合の結果、合致率が所定値以上である合致キーワードについて、前記重要度データベースから前記重要度を取得する取得部と、
前記合致キーワードの前記重要度に基づいて、受信する前記放送を切り替える閾値を設定する設定部と、
を有することを特徴とする情報処理システム。
【符号の説明】
【０１００】
１０，５０  端末装置
１１  ＴＶ受信部
１２  復調部
１３  復号部
１４  表示部
１５  スピーカ
１６  カメラ
１７  操作部
１８  通信部
２０，６０，１２０  記憶部
２１，１２１  重要度データベース
３０，７０，１３０  制御部
３１，７１，１３１  抽出部
３２，１３２  算出部
３３  照合部
３４，７４  取得部
３５  検出部
３６  設定部
４０  情報処理システム
１００  サーバ装置
１１０  通信部
１３３  通知部
Ｎ  ネットワーク
【図１】
2015082827.tif 000003
【図２】
2015082827.tif 000004
【図３】
2015082827.tif 000005
【図４】
2015082827.tif 000006
【図５】
2015082827.tif 000007
【図６】
2015082827.tif 000008
【図７】
2015082827.tif 000009
【図８】
2015082827.tif 000010